(57)【要約】【課題】選択された物理チャンネルに存在する複数のテレビ番組の画像を一覧表示し、選択された仮想チャンネル以外のテレビ番組をユーザが改めて選局する手間を省いたディジタル放送受信装置を提供する。【解決手段】制御部２は、現在選択されている物理チャンネルのテレビ放送信号に多重化されている複数の仮想チャンネルのデコードを開始する。そして、制御部２は、デコーダ５を監視し、多重化されている先頭の仮想チャンネルの画像信号からＩピクチャが取得できたかどうかを判断する。Ｉピクチャが取得できたと判断すると、制御部２は、Ｉピクチャのみをデコーダ５にデコードさせて画面５０の表示領域５１の表示内容を更新する。５２ＣＨ、５３ＣＨについても、同様の手順により、表示される。この結果、画像合成部６によって合成された複数の圧縮画像と、それぞれの圧縮画像に対応するチャンネル番号と、が対応付けてサムネイル画面５０に一覧表示される。【選択図】  図３
2008227719.tif 000002
【特許請求の範囲】
【請求項１】
選択されている物理チャンネルのテレビ放送信号を受信する単一のチューナと、
前記物理チャンネルのテレビ放送信号を復調して、画像に単体で復元されるキーフレームと、該キーフレームに基づいて画像を復元する差分フレームと、からなる画像信号を含む仮想チャンネルのテレビ放送信号を取得する復調手段と、
前記仮想チャンネルのテレビ放送信号を処理して、テレビ番組の画像と音声を出力する出力手段と、を備えたディジタル放送受信装置において、
前記出力手段は、
選択されている前記物理チャンネルのテレビ放送信号に多重化されている複数の仮想チャンネルのテレビ番組の一覧表示が指示されると、多重化されている各仮想チャンネルの前記画像信号の内のキーフレームのみを収集して、画像を復元する復元手段と、
前記復元手段が復元した画像の画像サイズを圧縮し、それら複数の圧縮画像を合成して１画面にする画像合成手段と、
前記画像合成手段によって合成された前記複数の圧縮画像と、それぞれの圧縮画像に対応するチャンネル番号と、を対応付けて画面に一覧表示する表示手段であって、前記画面上で入力が行われる位置を示すカーソルを前記画面上にＯＳＤ表示する表示手段と、を有し、
前記表示手段の前記画面上における前記カーソルの移動を受付けるカーソルキーと、前記表示手段で表示された前記一覧の中から、１つの圧縮画像又は１つのチャンネル番号の選択を受付ける選択キーと、を有する操作手段を備え、
前記出力手段は、前記表示手段で表示された前記一覧の中の１つの圧縮画像又は１つのチャンネル番号に、前記カーソルキーの操作によって前記カーソルが合わせられると、該１つの圧縮画像又は該１つのチャンネル番号に対応する仮想チャンネルのテレビ放送信号に含まれる音声信号を処理して、音声を放音する放音手段を有し、
前記出力手段は、前記選択キーで選択された前記１つの圧縮画像又は前記１つのチャンネル番号に対応する仮想チャンネルのテレビ放送信号を処理して、テレビ番組の画像と音声を出力するディジタル放送受信装置。
【請求項２】
選択されている物理チャンネルのテレビ放送信号を受信する単一のチューナと、
前記物理チャンネルのテレビ放送信号を復調して、画像に単体で復元されるキーフレームと、該キーフレームに基づいて画像を復元する差分フレームと、からなる画像信号を含む仮想チャンネルのテレビ放送信号を取得する復調手段と、
前記仮想チャンネルのテレビ放送信号を処理して、テレビ番組の画像と音声を出力する出力手段と、を備えたディジタル放送受信装置において、
前記出力手段は、
選択されている前記物理チャンネルのテレビ放送信号に多重化されている複数の仮想チャンネルのテレビ番組の一覧表示が指示されると、多重化されている各仮想チャンネルの前記画像信号の内のキーフレームのみを収集して、画像を復元する復元手段と、
前記復元手段が復元した画像の画像サイズを圧縮し、それら複数の圧縮画像を合成して１画面にする画像合成手段と、
前記画像合成手段によって合成された前記複数の圧縮画像と、それぞれの圧縮画像に対応するチャンネル番号と、を対応付けて画面に一覧表示する表示手段と、を有するディジタル放送受信装置。
【請求項３】
前記表示手段で表示された前記一覧の中から、１つの圧縮画像又は１つのチャンネル番号の選択を受付ける選択キーを有する操作手段を備え、
前記出力手段は、前記選択キーで選択された前記１つの圧縮画像又は前記１つのチャンネル番号に対応する仮想チャンネルのテレビ放送信号を処理して、テレビ番組の画像と音声を出力する請求項２に記載のディジタル放送受信装置。
【請求項４】
前記表示手段は、前記画面上で入力が行われる位置を示すカーソルを前記画面上にＯＳＤ表示し、
前記操作手段は、前記表示手段の前記画面上における前記カーソルの移動を受付けるカーソルキーを有し、
前記出力手段は、前記表示手段で表示された前記一覧の中の１つの圧縮画像又は１つのチャンネル番号に、前記カーソルキーの操作によって前記カーソルが合わせられると、該１つの圧縮画像又は該１つのチャンネル番号に対応する仮想チャンネルのテレビ放送信号に含まれる音声信号を処理して、音声を放音する放音手段を有する請求項２に記載のディジタル放送受信装置。
【発明の詳細な説明】
【技術分野】
【０００１】
本発明は、ディジタルテレビジョン放送信号を受信するディジタル放送受信装置に関するものである。
【背景技術】
【０００２】
近年、ＴＶ（Television）放送は、地上波放送だけでなく、衛星放送やＣＡＴＶ放送等のように多様化してきている。さらに、近年、ディジタル圧縮符号化技術を利用して、画像信号等の圧縮、多重化伝送等を行うことにより、限られた周波数帯で多数のテレビ番組を効率的に伝送できるディジタルＴＶ放送が注目されている。
【０００３】
このディジタルＴＶ放送を受信するディジタル放送受信装置では、ユーザは、視聴したいテレビ番組のチャンネル、即ち、物理チャンネルと仮想チャンネル（サブチャンネル）とをリモコン等により選択する。これにより、ディジタル放送受信装置は、その物理チャンネルに対応する周波数帯域の高周波電波を受信し、その受信信号を復調する。この結果、圧縮符号化された複数のテレビ番組の画像や音声等が時分割多重化された状態の信号で得られる。この信号はＴＳ（Transport Stream）と呼ばれ、このＴＳには、各テレビ番組の画像や音声等の要素信号が納められたＴＳパケットが多重されている。ディジタル放送受信装置は、このＴＳから各仮想チャンネルに対応するテレビ番組の画像信号や音声信号を含むＴＳパケットを分離抽出する。そして、ディジタル放送受信装置は、その画像信号や音声信号を圧縮符号化される前の状態に復号化してモニタ及びスピーカから出力する。
【０００４】
これにより、ユーザは、自分の選択したチャンネルのテレビ番組をモニタ及びスピーカで視聴する。
一方、特許文献１では、ディジタル放送受信装置が提案されている。
【特許文献１】特開２００６−６７２０５公報
【発明の開示】
【発明が解決しようとする課題】
【０００５】
しかしながら、上記従来のディジタル放送受信装置は、ユーザによって選択された物理チャンネルに対応する周波数帯域に複数のテレビ番組が多重化されているにも係わらず、ユーザによって選択された仮想チャンネル以外のテレビ番組を出力することはない。即ち、ユーザは、選択した仮想チャンネル以外のテレビ番組を改めて選局するまで他の仮想チャンネルのテレビ番組の内容を知ることができない。そのため、選択した仮想チャンネル以外のテレビ番組の内容を知りたい場合、ユーザは、選択した仮想チャンネル以外のテレビ番組を改めて選局しなければならず、２度手間になっていた。
【０００６】
本発明はこのような従来の課題を解決しようとするものであり、選択された物理チャンネルに存在する複数のテレビ番組の画像を一覧表示し、それらの各仮想チャンネルのテレビ番組の内容をユーザに容易に知らせたディジタル放送受信装置を提供することを目的とする。
【課題を解決するための手段】
【０００７】
本発明のディジタル放送受信装置は、前記課題を解決するために以下の構成を備えている。
【０００８】
（１）選択されている物理チャンネルのテレビ放送信号を受信する単一のチューナと、
前記物理チャンネルのテレビ放送信号を復調して、画像に単体で復元されるキーフレームと、該キーフレームに基づいて画像を復元する差分フレームと、からなる画像信号を含む仮想チャンネルのテレビ放送信号を取得する復調手段と、
前記仮想チャンネルのテレビ放送信号を処理して、テレビ番組の画像と音声を出力する出力手段と、を備えたディジタル放送受信装置において、
前記出力手段は、
選択されている前記物理チャンネルのテレビ放送信号に多重化されている複数の仮想チャンネルのテレビ番組の一覧表示が指示されると、多重化されている各仮想チャンネルの前記画像信号の内のキーフレームのみを収集して、画像を復元する復元手段と、
前記復元手段が復元した画像の画像サイズを圧縮し、それら複数の圧縮画像を合成して１画面にする画像合成手段と、
前記画像合成手段によって合成された前記複数の圧縮画像と、それぞれの圧縮画像に対応するチャンネル番号と、を対応付けて画面に一覧表示する表示手段と、を有する。
【０００９】
この構成において、ディジタル放送受信装置は、例えばディジタルテレビジョンである。キーフレームと差分フレームとからなる画像信号は、例えばＴＳである。
任意のテレビ番組のチャンネル、即ち、物理チャンネルと仮想チャンネル（サブチャンネル）とが選択されている状態で、ユーザは、上記一覧表示を指示する。すると、出力手段は、上記の画像信号からキーフレームのみを収集して、画像を復元する。さらに、出力手段は、復元した画像の画像サイズを圧縮し、それら複数の圧縮画像を合成して１画面にする。最後に、出力手段は、その１画面を画面に表示する。即ち、出力手段は、複数の圧縮画像とチャンネル番号とを対応付けて画面に一覧表示する。
ユーザは、この一覧表示から、複数の仮想チャンネルのテレビ番組の内容を容易に知ることができる。よって、選択された仮想チャンネル以外のテレビ番組をユーザが改めて選局する手間を省くことができる。
【００１０】
（２）前記表示手段で表示された前記一覧の中から、１つの圧縮画像又は１つのチャンネル番号の選択を受付ける選択キーを有する操作手段を備え、
前記出力手段は、前記選択キーで選択された前記１つの圧縮画像又は前記１つのチャンネル番号に対応する仮想チャンネルのテレビ放送信号を処理して、テレビ番組の画像と音声を出力する。
【００１１】
ユーザが選択キーで選択すると、出力手段は、テレビ番組の画像と音声を出力する。これにより、ユーザは、出力手段において、テレビ番組の画像と音声を視聴する。
このようにして、ユーザは、上記（１）で一覧表示から複数の仮想チャンネルのテレビ番組の内容を知った後、視聴したいテレビ番組を簡単に選局することができる。
【００１２】
（３）前記表示手段は、前記画面上で入力が行われる位置を示すカーソルを前記画面上にＯＳＤ表示し、
前記操作手段は、前記表示手段の前記画面上における前記カーソルの移動を受付けるカーソルキーを有し、
前記出力手段は、前記表示手段で表示された前記一覧の中の１つの圧縮画像又は１つのチャンネル番号に、前記カーソルキーの操作によって前記カーソルが合わせられると、該１つの圧縮画像又は該１つのチャンネル番号に対応する仮想チャンネルのテレビ放送信号に含まれる音声信号を処理して、音声を放音する放音手段を有する。
【００１３】
この構成において、ユーザは、上記（１）の一覧表示を見つつ、カーソルキーを操作する。表示手段で表示された一覧の中の１つの圧縮画像に、カーソルキーの操作によってカーソルをユーザが合わすと、出力手段は、該１つの圧縮画像又は該１つのチャンネル番号に対応する仮想チャンネルのテレビ放送信号に含まれる音声データを処理する。この結果、その仮想チャンネルで放送されるテレビ番組の音声が放音手段から放音される。上記（１）では、テレビ番組の画像のみ出力されたが、ここでは、テレビ番組の音声も出力される。
以上より、ユーザは、仮想チャンネルのテレビ番組の内容を容易に且つ詳細に知ることができる。よって、選択された仮想チャンネル以外のテレビ番組をユーザが改めて選局する手間を一層省くことができる。
【発明の効果】
【００１４】
この発明によれば、ユーザは、上記の一覧表示から、複数の仮想チャンネルのテレビ番組の内容を容易に知ることができる。
【発明を実施するための最良の形態】
【００１５】
以下、本発明の実施形態であるディジタルテレビジョンについて説明する。
【００１６】
図１は、本発明の実施形態であるディジタルテレビジョンの主要な構成を示すブロック図である。ディジタルテレビジョン（TV）１０１は、装置の各部の動作を制御する制御部２と、選択されたチャンネル（以下、CHと称する）のテレビ放送信号を受信するチューナ３と、受信したテレビ放送信号をディジタルデータに復調する復調部４と、復調したディジタルデータから画像データと音声データとを分離し、両データを伸長するデコーダ５と、所望のＯＳＤ（On  Screen  Display）画像と画像データに基づく画像とを合成する画像合成部６と、画像データと音声データとの信号をアナログの信号に変換するD／A変換部８と、ユーザの操作を受付ける操作部１１と、EPGデータを記憶するEPGデータメモリ１４と、制御プログラムを記憶する記憶部１５と、画像を画面上に表示する表示部３２と、音声を放音するスピーカ３１と、を備える。
なお、この実施形態において、放送局は、番組の他に、各チャンネルで放送されている番組の属性（番組名、出演者等）を示す番組情報を放送しているものとする。
【００１７】
ここで、表示部３２、スピーカ３１、画像合成部６、デコーダ５、Ｄ／Ａ変換部８、及び制御部２が、本発明の「出力手段」に相当する。
【００１８】
記憶部１５は、例えばROMで構成される。
制御部２は、例えばマイクロコンピュータで構成される。制御部２は、上記制御プログラムにより処理されるデータ等を展開するためのワークフィールドとしてのRAM（不図示）と、後述の図２において時間を計測するタイマー回路（不図示）と、を内蔵する。
【００１９】
操作部１１に対し、EPGの表示、電源のON／OFF／スタンバイ、チャンネルの選択、音量の調整等の命令（コマンド）が入力されると、操作部１１は、該命令を制御部２に伝送する。制御部２は、該命令を受信すると、該命令に応じた動作を行う。
また、操作部１１は、リモコン２００からの信号を受信する受信部を有する。操作部１１とリモコン２００とは、同様のキーを有する。
【００２０】
ここで、ユーザが、視聴したいテレビ番組のチャンネル、即ち、物理チャンネルと仮想チャンネルとをリモコン２００又は操作部１１により選択した場面について以下説明する。
【００２１】
チューナ３は、アンテナ３０で受信しているテレビ放送信号から、制御部２の指示に基づいて、選択されている物理チャンネルのテレビ放送信号を受信（抽出）し、出力する。
復調部４は、チューナ３から出力されたテレビ放送信号を復調して、ディジタルデータであるトランスポートストリーム（以下、ＴＳ）を取得し、出力する。このＴＳには、各テレビ番組の画像や音声等の要素信号が納められたＴＳパケットが多重されている。
【００２２】
デコーダ５は、復調部４から出力されたＴＳから、画像データと音声データとEPGデータとを分離抽出する。ここで、分離抽出された画像データは、例えばMPEGでエンコードされている。ＭＰＥＧ方式の符号化画像データには、周知のように、１フレームの画面のすべてを予測を用いずイントラ符号化するフレーム内符号化画像（Ｉピクチャ）と、予測を用いるフレーム間順方向予測符号化画像（Ｐピクチャ）と、Ｉ、Ｐピクチャを先に処理した後でその間に挿入される、予測を用いる双方向予測符号化画像（Ｂピクチャ）のピクチャタイプがある。Ｉピクチャが本発明のキーフレームに相当し、Ｐ、Ｂピクチャが本発明の差分フレームに相当する。これら３つのピクチャを適切に組み合わせているが、定期的にＩピクチャを入れることでランダム・アクセスを可能にしている。この定期的に伝送されるＩピクチャとＩピクチャの間隔は、最大０．３秒以内とＭＰＥＧで規定されている。
【００２３】
そして、デコーダ５は、画像データをデコードし、出力する。詳述すると、デコーダ５は、Ｉ、Ｐ、Ｂピクチャから画像を復元し、出力する。出力された画像データは、画像合成部６を介して、D／A変換部８に入力される。また、デコーダ５は、音声データをデコードし、D／A変換部８に出力する。
なお、デコーダ５は、上記で分離抽出されたEPGデータを制御部２に出力する。EPGデータには、各チャンネルで放送されている番組の属性（番組名、出演者等）が記述されている。そして、制御部２は、デコーダ５から出力されたEPGデータをEPGデータメモリ１４に記録する。EPGデータメモリ１４は、例えばEEPROMで構成される。
【００２４】
画像合成部６は、不図示の画像メモリを内蔵する。この画像メモリは、ＯＳＤ画像である後述のサムネイル画面５０を記憶する。サムネイル画面５０は、後述の圧縮画像を貼り付けるためのベースとなるベース画面である。画像合成部６は、制御部２の指示に基づいて、復元した画像の画像サイズを圧縮し、それら複数の圧縮画像を合成して１画面にするＰout Ｐ（ピクチャー  アウト  ピクチャー）回路（不図示）を内蔵する。さらに、画像合成部６は、制御部２の指示に基づいて、画像データに基づく画像と、画像メモリが記憶している文字又は図形を表すＯＳＤ画像と、を合成するＯＳＤ回路（不図示）を内蔵する。
画像合成部６は、制御部２の指示に基づいて、その合成された合成データをD／A変換部８に出力する。又は、画像合成部６は、制御部２の指示に基づいて、入力された画像データをそのままD／A変換部８に出力する。
【００２５】
D／A変換部８は、デコーダ５が出力した画像データ（合成データを含む）の信号をアナログの再生画像信号に変換し、表示部３２に出力する。表示部３２は、例えばLCD（Liquid Crystal Display）である。また、D／A変換部８は、デコーダ５が出力した音声データの信号をアナログの再生音声信号に変換し、スピーカ３１に出力する。
ユーザは、表示部３２およびスピーカ３１において、D／A変換部８から出力された画像信号に基づく画像と音声信号に基づく音声とを視聴する。
【００２６】
しかしながら、従来のディジタル放送受信装置では、ユーザによって選択された物理チャンネルに対応する周波数帯域に複数のテレビ番組が多重化されているにも係わらず、ユーザによって選択された仮想チャンネル（例えば５１ＣＨ）以外のテレビ番組を出力することはなかった。
そこで、この実施形態では、操作部１１に、選択されている物理チャンネルのテレビ放送信号に多重化されている複数の仮想チャンネルのテレビ番組の一覧表示を指示するためのサムネイルキーを設けた。
【００２７】
図２は、本発明の実施形態であるディジタルテレビジョンの制御部が行う動作を示すフローチャートである。この動作は、任意のチャンネルが選択されている状態で、ユーザがさらにサムネイルキーを押下した時の動作である。
また、図３は、表示部３２で表示されるサムネイル画面の一例を示す図である。ＯＳＤで形成されるサムネイル画面５０には、圧縮画像を表示するための空白の表示領域５１〜５３が形成されている。サムネイル画面５０は、圧縮画像を貼り付けるためのベースとなるベース画面である。
【００２８】
サムネイルキーが押下されると、制御部２は、現在選択されている物理チャンネルのテレビ放送信号に多重化されている複数の仮想チャンネルの情報を取得する（Ｓ１）。この情報は、例えば、多重化されている仮想チャンネルのチャンネル数、各ＴＳパケットの先頭に記述されているパケットＩＤ、どの方式でエンコードされたかを示すコーデック情報である。この情報の取得は、EPGデータメモリ１４に記録されているＥＰＧデータを参照することにより行われる。制御部２は、多重化されている仮想チャンネルのチャンネル数分、サムネイル画面５０の表示領域を作成する。また、制御部２は、多重化されている仮想チャンネルのチャンネル数と表示部３２の画面サイズとに基づいて、後述のＳ７における画像圧縮後の画像サイズと表示領域のサイズとを定める。画像圧縮後の画像サイズと表示領域のサイズとは、同じに設定する。
【００２９】
制御部２は、ＯＳＤで形成されるサムネイル画面５０を表示部３２に表示するよう画像合成部６に指示する（Ｓ２）。
なお、この時点では、圧縮画像は作成されていないので、表示領域５１〜５３に何も表示されない。
【００３０】
そして、制御部２は、現在選択されている物理チャンネルのテレビ放送信号に多重化されている複数の仮想チャンネルのデコードを開始する（Ｓ３）。具体的にはＳ４〜Ｓ８の動作を順次実行する。この実施形態では、多重化されている各仮想チャンネルの内、先頭の仮想チャンネルのデコードを開始することとする。例えば、多重化されている仮想チャンネルが５１ＣＨ、５２ＣＨ、５３ＣＨの３つあれば、５１ＣＨからデコードを開始する。
【００３１】
まず、制御部２は、タイマー回路のタイマーをスタートする（Ｓ４）。
【００３２】
そして、一定時間が経過するまで（Ｓ６）、制御部２は、デコーダ５を監視し、多重化されている先頭の仮想チャンネルの画像信号からＩピクチャが取得できたかどうかを判断する（Ｓ５）。
【００３３】
Ｉピクチャが取得できたと判断すると、制御部２は、Ｉピクチャのみをデコーダ５にデコードさせてサムネイル画面５０の表示領域５１の表示内容を更新する（Ｓ７）。詳述すると、制御部２は、５１ＣＨの画像信号の内のＩピクチャのみをデコーダ５にデコードさせて画像を復元する。そして、制御部２は、画像合成部６に指示し、復元した画像の画像サイズを圧縮し、その圧縮画像をサムネイル画面５０の表示領域５１に合成する。この時、制御部２は、それぞれの圧縮画像に対応するチャンネル番号のＯＳＤ「５１ＣＨ」をその圧縮画像に対応付けて画像合成部６に合成させる。この結果、表示部３２のサムネイル画面５０の表示領域５１において、圧縮画像と該圧縮画像のチャンネル番号「５１ＣＨ」とが対応付けて画面に表示される（図３参照）。
【００３４】
制御部２は、次の仮想チャンネルのデコードを開始し（Ｓ８）、Ｓ４に戻り処理を継続する。例えば、多重化されている仮想チャンネルが５１ＣＨ、５２ＣＨ、５３ＣＨの３つあれば、５１ＣＨの次の５２ＣＨのデコードを開始する。これにより、５２ＣＨについても、上記Ｓ７における５１ＣＨと同様の手順により、表示領域５２において、圧縮画像と該圧縮画像のチャンネル番号「５２ＣＨ」とが対応付けて画面に表示される（図３参照）。また、その次の５３ＣＨについても、同様の手順により、表示領域５３において、圧縮画像と該圧縮画像のチャンネル番号「５３ＣＨ」とが対応付けて画面に表示される（図３参照）。この結果、画像合成部６によって合成された複数の圧縮画像と、それぞれの圧縮画像に対応するチャンネル番号と、が対応付けて画面５０に一覧表示される（図３参照）。
さらに、制御部２は処理Ｓ４〜Ｓ８を繰り返すため、新たなＩピクチャがＳ５で取得されると、該新たなＩピクチャに対応する圧縮画像で表示領域５１〜５３の内容は随時更新する。
【００３５】
以上より、選択した仮想チャンネル（５１ＣＨ）以外のテレビ番組の内容を知りたい場合、ユーザは、図３に示す一覧表示から、それらのテレビ番組の内容を容易に知ることができる。よって、選択された仮想チャンネル以外のテレビ番組をユーザが改めて選局する手間を省くことができる。
なお、物理チャンネルに多重化される仮想チャンネルの数が３つより多い場合を想定し、上記サムネイル画面を複数ページ作成しておく。そして、ユーザからのページ切替にかかる入力操作があった時に、１ページ目で表示しきれなかった仮想チャンネルの圧縮画像を２ページ目以降に表示する。
【００３６】
一方、一定時間が経過すると（Ｓ６）、制御部２は、次の仮想チャンネルのデコードを開始し（Ｓ８）、Ｓ４に戻り処理を継続する。例えば、５２ＣＨのＩピクチャが取得できなかったのであれば、５２ＣＨを飛ばし、次の５３ＣＨのデコードを開始する。図３では、Ｓ５において５２ＣＨのＩピクチャが取得できなかったため、表示領域５２が空白になったままの様子が示されている。Ｓ６を設けた理由は、現在の仮想ＣＨのＩピクチャが取得できないために、それ以降のＩピクチャの更新が停止してしまうのを防止するためである。
なお、一定時間が長いと、１つの仮想チャンネルのＩピクチャが取得できない場合、一覧表示されるまでにユーザを待たせてしまう。そこで、一定時間は、例えば１秒に設定する。
【００３７】
また、本発明の実施形態は、以下の変形例を採用することができる。
【００３８】
（第１変形例）
図４は、本発明の実施形態の変形例であるディジタルテレビジョンの表示部３２で表示されるサムネイル画面の一例を示す図である。ここで、画像合成部６の画像メモリに、表示部３２のサムネイル画面５０上で入力が行われる位置を示すカーソル６０のＯＳＤを記憶させる。また、操作部１１には、このカーソル６０の移動を受付けるカーソルキーを設ける。
そして、ユーザが、図４に示す一覧表示を見つつ、カーソルキーを操作する。表示部３２で表示された一覧の中の１つの圧縮画像に、カーソルキーの操作によってカーソル６０が合わせられると、制御部２は、該１つの圧縮画像又は該１つのチャンネル番号に対応する仮想チャンネルのテレビ放送信号に含まれる音声データをデコードするようデコーダ５に指示する。この結果、その仮想チャンネルで放送されるテレビ番組の音声がスピーカ３１から放音される。
【００３９】
以上より、選択した仮想チャンネル（５１ＣＨ）以外のテレビ番組の内容を知りたい場合、ユーザは、図４に示す一覧表示から、それらのテレビ番組の内容を容易に且つ詳細に知ることができる。よって、選択された仮想チャンネル以外のテレビ番組をユーザが改めて選局する手間を一層省くことができる。
【００４０】
（第２変形例）
さらに、操作部１１に、図４に示す一覧の中から、１つの圧縮画像の選択を受付ける選択キーを設けても良い。この変形例では、ユーザは、カーソルキーの操作によってカーソル６０を１つの圧縮画像に合わした状態で、選択キーを押下する。すると、制御部２は、図２に示すルーチンを抜けるとともに、選択キーで選択された１つの圧縮画像に対応する仮想チャンネルのＴＳパケットをデコードするようデコーダ５に指示する。この結果、表示部３２およびスピーカ３１が、テレビ番組の画像と音声を出力する。これにより、ユーザは、表示部３２およびスピーカ３１において、D／A変換部８から出力されたテレビ番組の画像と音声を視聴する。
このようにして、ユーザは、図４に示す一覧表示から複数の仮想チャンネルのテレビ番組の内容を知った後、視聴したいテレビ番組を簡単に選局することができる。
【図面の簡単な説明】
【００４１】
【図１】本発明の実施形態であるディジタルテレビジョンの主要な構成を示すブロック図
【図２】本発明の実施形態であるディジタルテレビジョンの制御部が行う動作を示すフローチャート
【図３】本発明の実施形態であるディジタルテレビジョンの表示部３２で表示されるサムネイル画面の一例を示す図
【図４】本発明の実施形態の変形例であるディジタルテレビジョンの表示部３２で表示されるサムネイル画面の一例を示す図
【符号の説明】
【００４２】
２−制御部
３−チューナ
４−復調部
５−デコーダ
６−画像合成部
８−Ｄ／Ａ変換部
１１−操作部
１５−記憶部
３０−アンテナ
３１−スピーカ
３２−表示部
５０−サムネイル画面
５１−表示領域
５２−表示領域
５３−表示領域
６０−カーソル
２００−リモコン
【図１】
2008227719.tif 000003
【図２】
2008227719.tif 000004
【図３】
2008227719.tif 000005
【図４】
2008227719.tif 000006